【事件の表示】
　平成１０年特許願第３３６１０４号「情報転送装置」拒絶査定不服審判事件〔平成１２年６月１６日出願公開、特開２０００−１６３８６５〕について、次のとおり審決する。
【結　論】
　本件審判の請求は、成り立たない。
【理　由】
第１　手続の経緯
　本願は、平成１０年１１月２６日の出願であって、平成１７年２月２５日付け拒絶理由通知に対して、同年４月２５日付けで手続補正がなされたところ、同年１１月１１日付けで拒絶査定され、これに対し、同年１２月１５日付けで拒絶査定不服審判が請求されるとともに、平成１８年１月１２日付けで手続補正がなされたものである。
　
　
第２　平成１８年１月１２日付けの手続補正についての補正却下の決定
［補正却下の決定の結論］
　平成１８年１月１２日付けの手続補正（以下、「本件補正」という。）を却下する。
　
［理由］
１．本件補正前及び本件補正後の本願発明
　本件補正は、明細書の特許請求の範囲及び発明の詳細な説明についてするもので、特許請求の範囲については、本件補正前に、
「【請求項１】　複数台のそれぞれ異なる種類の情報記録再生装置を接続する接続手段と、該手段によって接続された各情報記録再生装置の中から情報の転送元の情報記録再生装置を一台だけ選択し、前記各情報記録再生装置の中から転送先の情報記録再生装置を選択する選択手段と、該手段によって選択された転送元の情報記録再生装置の記録媒体上の情報を前記選択された転送先の情報記録再生装置へ転送する転送手段と、前記転送手段が実行する情報転送制御プログラムを前記接続手段に接続された情報記録再生装置の記録媒体上から読み込む情報転送制御プログラム読込手段を備えたことを特徴とする情報転送装置。
　【請求項２】　請求項１記載の情報転送装置において、
　前記情報転送制御プログラム読込手段は、情報転送装置が起動した後に、予め設定された優先順位に基づいて情報転送装置に接続された各情報記録再生装置の中から記録媒体をもっている１台の情報記録装置を選択して前記記録媒体上の情報転送処理の制御を行なう制御プログラムを読み込む手段であることを特徴とする情報転送装置。
　【請求項３】　請求項１記載の情報転送装置において、
　前記情報転送制御プログラム読込手段に、情報転送装置が起動した後に、予め設定された優先順位に基づいて情報転送装置に接続された各情報記録再生装置の中から記録媒体をもっている１台の情報記録装置を選択し、該選択した情報記録装置内に記録媒体が無かった場合、又は前記選択した情報記録装置の記録媒体上に上の情報転送処理の制御を行なう制御プログラムが無かった場合、警告を表示し、記録媒体の交換を検出したら再び情報記録装置の選択からやり直す手段を設けたことを特徴とする情報転送装置。
　【請求項４】　請求項１乃至３のいずれか一項に記載の情報転送装置において、
　前記転送手段による情報の転送開始をリモートコントロールによって遠隔指示する情報転送開始リモートコントロール手段を設けたことを特徴とする情報転送装置。
　【請求項５】　請求項１乃至４のいずれか一項に記載の情報転送装置において、
　前記転送手段による情報の転送や前記転送先の情報記録再生装置による情報転送の処理状況を出力する手段を設けたことを特徴とする情報転送装置。」
とあったところを、
　
「【請求項１】　複数台のそれぞれ異なる種類の情報記録再生装置を接続する接続手段と、該手段によって接続された各情報記録再生装置の中から情報の転送元の情報記録再生装置を一台だけ選択し、前記各情報記録再生装置の中から転送先の情報記録再生装置を選択する選択手段と、該手段によって選択された転送元の情報記録再生装置の記録媒体上の情報を前記選択された転送先の情報記録再生装置へ転送する転送手段と
を備えた情報転送装置において、
　情報転送装置が起動した後に、予め設定された優先順位に基づいて情報転送装置に接続された各情報記録再生装置の中から記録媒体をもっている１台の情報記録装置を選択して前記記録媒体上の情報転送処理の制御を行なう制御プログラムを読み込む制御プログラム読込手段を設け、該制御プログラム読込手段によって読み込んだ制御プログラムをＲＡＭに格納し、該ＲＡＭに格納した制御プログラムを実行して前記転送手段による情報の転送を行うようにした
　【
請求項２
　前記制御プログラム読込手段に、情報転送装置が起動した後に、予め設定された優先順位に基づいて情報転送装置に接続された各情報記録再生装置の中から記録媒体をもっている１台の情報記録装置を選択し、該選択した情報記録装置内に記録媒体が無かった場合、又は前記選択した情報記録装置の記録媒体上に上の情報転送処理の制御を行なう制御プログラムが無かった場合、警告を表示し、記録媒体の交換を検出したら再び情報記録装置の選択からやり直す手段を設けたことを特徴とする情報転送装置。
　【
請求項３
又は２
　前記転送手段による情報の転送開始をリモートコントロールによって遠隔指示する情報転送開始リモートコントロール手段を設けたことを特徴とする情報転送装置。
　【
請求項４
３
　前記転送手段による情報の転送や前記転送先の情報記録再生装置による情報転送の処理状況を出力する手段を設けたことを特徴とする情報転送装置。」
としようとするものである。
　
　要するに、本件補正は、本件補正前の請求項１に「前記転送手段が実行する情報転送制御プログラムを前記接続手段に接続された情報記録再生装置の記録媒体上から読み込む情報転送制御プログラム読込手段を備えたこと」とあったところを、「情報転送装置が起動した後に、予め設定された優先順位に基づいて情報転送装置に接続された各情報記録再生装置の中から記録媒体をもっている１台の情報記録装置を選択して前記記録媒体上の情報転送処理の制御を行なう制御プログラムを読み込む制御プログラム読込手段を設け、該制御プログラム読込手段によって読み込んだ制御プログラムをＲＡＭに格納し、該ＲＡＭに格納した制御プログラムを実行して前記転送手段による情報の転送を行うようにしたこと」と限定するものであるから、特許法第１７条の２第４項第２号に掲げる事項を目的とするものに該当する。
　そこで、本件補正後における特許請求の範囲に記載されている発明が、特許出願の際独立して特許を受けることができるものであるか（平成１８年改正前特許法第１７条の２第５項において準用する同法第１２６条第５項に記載する要件を満たすか）否かを、請求項１に係る発明（以下、「本願補正発明」という。）について以下に検討する。
　
　本願補正発明は、以下のとおりである。
「【請求項１】　複数台のそれぞれ異なる種類の情報記録再生装置を接続する接続手段と、該手段によって接続された各情報記録再生装置の中から情報の転送元の情報記録再生装置を一台だけ選択し、前記各情報記録再生装置の中から転送先の情報記録再生装置を選択する選択手段と、該手段によって選択された転送元の情報記録再生装置の記録媒体上の情報を前記選択された転送先の情報記録再生装置へ転送する転送手段とを備えた情報転送装置において、
　情報転送装置が起動した後に、予め設定された優先順位に基づいて情報転送装置に接続された各情報記録再生装置の中から記録媒体をもっている１台の情報記録装置を選択して前記記録媒体上の情報転送処理の制御を行なう制御プログラムを読み込む制御プログラム読込手段を設け、該制御プログラム読込手段によって読み込んだ制御プログラムをＲＡＭに格納し、該ＲＡＭに格納した制御プログラムを実行して前記転送手段による情報の転送を行うようにしたことを特徴とする情報転送装置。」
　
　ところで、上記「各情報記録再生装置の中から記録媒体をもっている１台の情報記録装置を選択し」における「情報記録装置」は、前後の文脈から、「情報記録再生装置」と認める。
　
　
２．引用例
　原査定の拒絶の理由に引用された、本願出願前に頒布された刊行物である特開平８−１６７２７７号公報（以下、「引用例」という。）には、図面とともに以下の技術事項が記載されている（下線は当審で付した。）。
　（ａ）「【００１５】
【実施例】以下、図面を参照してこの発明の実施例を説明する。図１は、この発明による記録再生装置の内部の構成を示したブロック図である。
　　：
【００１７】また、この
記録再生装置１は
メモリカード４が接続されるメモリカード用インターフェース回路のメモリカードＩ／Ｆ２２と、ハードディスク（ＨＤ）２３のドライブ装置と、フロッピーディスク（ＦＤ）５が接続されるフロッピーディスクドライブ（ＦＤＤ）２４
とを有し
　　：
【００１９】
上記データアドレスバス１４及び１６は、メモリカードＩ／Ｆ２２等と制御部１７、及び該制御部１７と画像データ記憶部１３のＲＡＭ−Ａ１３ａと、Ｄ／Ａ変換回路１２、Ａ／Ｄ変換回路１１の間の信号伝達用バスである
【００２０】また、ビデオバス１５は、画像データ記憶部１３のＶＲＡＭ１３ｃとＤ／Ａ変換回路１２またはＡ／Ｄ変換回路１１の間のビデオ信号伝達用バスである。上記記録再生制御部１７は、この装置の各部の制御要素のコントロールを行うもので、上記リモコン受光部１８からの信号や操作スイッチ群１９の上記出力信号が入力され、インターバル記録手段等を内蔵するコントロールを行うＣＰＵ１７ａと、ビデオ信号に重畳するキャラクタデータを出力するキャラクタジェネレータ（ＣＧ）回路１７ｂと、一時的なデータの記憶を行うＲＡＭ−Ｂ１７ｃと、
各種制御処理のアルゴリズムを記憶するＲＯＭ１７ｄ
ＦＤＤ２４をコントロールするフロッピーディスクドライブコントローラ（ＦＤＣ）１７ｆ
【００２１】図２は、上記記録再生装置１の全面パネル１ａ上の操作スイッチ群１９のスイッチキー、ＬＥＤ表示部２０、メモリカード４及びＦＤ５のイジェクトキー付挿入口１ｂ、１ｃ等の配置状態を示す図である。
【００２２】上記記録媒体の挿入口１ｂ、１ｃの他に操作パネル１ａに配設されているキー及び表示部としては、
ある記録媒体に記録されている１画面の画像データを別の記録媒体にコピーするためのスイッチ（ＳＷ）キー（“ＣＯＰＹ”）１９ａ
ある記録媒体に記録されている全画像データの全てを別の記録媒体にコピーするためのスイッチキー（“ＡＬＬ  ＣＯＰＹ”）１９ｂ
【００２３】また、上記操作パネル１ａには、画像データの記録をフィールド記録するかフレーム記録するかの指示を行うスイッチキー（“ＦＬＤ／ＦＲＭ”）１９ｌと、再生モードに於けるマルチ画面表示に於ける２画面表示設定を行う（“ＣＯＭＰ２”）キー１９ｍと、４画面表示設定を行う（“ＣＯＭＰ４”）キー１９ｎと、１６分割表示用（“ＭＵＬＴＩ１６”）キー１９ｏと、
記録媒体を選択するためのスイッチキー（“ＣＡＲＤ／ＦＤ／ＨＤ”）１９ｐ
　　：
【００２５】上記操作パネル１ａには、また、再生、記録駒番号等を表示するＬＥＤ表示部２０ａと、選択された媒体を表示するＬＥＤ２０ｂと、
画像データコピー処理に於ける転送元と転送先の記録媒体を表示する転送方向表示用ＬＥＤ２０ｃ
　（ｂ）「【０１００】次に、図１７のフローチャートを参照して、図４のステップＳ１４のＣＯＰＹ動作のサブルーチンを説明する。図４のステップＳ７にて、
コピー用のスイッチキー（ＣＯＰＹ  ＳＷ）１９ａが押されると、コピー（ＣＯＰＹ）動作が行われる
　　：
【０１０３】このステップＳ１２５では、
ＬＥＤ２０ｃで指定された方向にＪ６Ｉファイルがコピーされる。つまり、画像ファイルだけが最初にコピーされる
ＬＥＤ２０ｃの変更はスイッチキー１９ｐで行われるもので、このスイッチキー１９ｐが押されると、ＬＥＤ２０ｃが順番に点灯される
　　：
【０１０５】そして、このステップＳ１２７にて、ＬＥＤ２０ｃで示された方向に、Ｊ６Ｓ、Ｊ６Ｌ、Ｊ６Ｒファイル、すなわちコメントの入っているファイルがコピーされる。」
　（ｃ）第１図には、
「メモリカードＩ／Ｆ２２」，「ＨＤ２３」，「ＦＤＤ２４を接続したＦＤＣ１７ｆ」が、データアドレスバス１６に接続されている構成
「ＣＡＲＤ」，「ＦＤ」，「ＨＤ」のいずれか１つの記録媒体から、それ以外の１つの記録媒体への方向を示す構成
　
　上記摘示事項及び図面の記載を総合勘案すると、引用例には、次の発明（以下、「引用発明」という。）が記載されている。
　
「メモリカード４が接続されるメモリカード用インターフェース回路のメモリカードＩ／Ｆ２２と、ハードディスク（ＨＤ）２３のドライブ装置と、フロッピーディスク（ＦＤ）５が接続されるフロッピーディスクドライブ（ＦＤＤ）２４をコントロールするフロッピーディスクドライブコントローラ（ＦＤＣ）１７ｆが、データアドレスバス１６に接続され、
　各種制御処理のアルゴリズムを記憶するＲＯＭ１７ｄを備え、
　ある記録媒体に記録されているデータを別の記録媒体にコピーするためのスイッチキー（ＣＯＰＹ  ＳＷ）１９ａが押されると、コピー（ＣＯＰＹ）動作が行われ、画像データコピー処理に於ける転送元と転送先の記録媒体を表示する転送方向表示用ＬＥＤ２０ｃで指定された方向にファイルがコピーされ、ＬＥＤ２０ｃの変更は、記録媒体を選択するためのスイッチキー（“ＣＡＲＤ／ＦＤ／ＨＤ”）１９ｐで行われるもので、このスイッチキー１９ｐが押されると、「ＣＡＲＤ」，「ＦＤ」，「ＨＤ」のいずれか１つの記録媒体から、それ以外の１つの記録媒体への方向を示すＬＥＤ２０ｃが順番に点灯される、
構成を備えた記録再生装置。」
　
　
３．対比
　本願補正発明を、引用発明と比較する。
　（１）引用発明における「メモリカード４」と「メモリカード４が接続されるメモリカード用インターフェース回路のメモリカードＩ／Ｆ２２」からなる構成、及び、「フロッピーディスク（ＦＤ）５が接続されるフロッピーディスクドライブ（ＦＤＤ）２４」と「フロッピーディスクドライブ（ＦＤＤ）２４をコントロールするフロッピーディスクドライブコントローラ（ＦＤＣ）１７ｆ」からなる構成は、いずれも本願補正発明における「情報記録再生装置」に相当し、引用発明における前記各構成及び「ハードディスク（ＨＤ）２３のドライブ装置」は、本願補正発明における「複数台のそれぞれ異なる種類の情報記録再生装置」に相当する。また、引用発明における、上記各情報記録再生装置を接続する「データアドレスバス１６」は、本願補正発明における「複数台のそれぞれ異なる種類の情報記録再生装置を接続する接続手段」に相当する。
　（２）引用発明の「ある記録媒体に記録されているデータを別の記録媒体にコピーするためのスイッチキー（ＣＯＰＹ  ＳＷ）１９ａが押されると、コピー（ＣＯＰＹ）動作が行われ、画像データコピー処理に於ける転送元と転送先の記録媒体を表示する転送方向表示用ＬＥＤ２０ｃで指定された方向にファイルがコピーされ、ＬＥＤ２０ｃの変更は、記録媒体を選択するためのスイッチキー（“ＣＡＲＤ／ＦＤ／ＨＤ”）１９ｐで行われるもので、このスイッチキー１９ｐが押されると、「ＣＡＲＤ」，「ＦＤ」，「ＨＤ」のいずれか１つの記録媒体から、それ以外の１つの記録媒体への方向を示すＬＥＤ２０ｃが順番に点灯される」における「記録媒体を選択するためのスイッチキー（“ＣＡＲＤ／ＦＤ／ＨＤ”）１９ｐ」は、異なる種類の情報記録再生装置を選択する手段であるから、本願補正発明の「接続された各情報記録再生装置の中から情報の転送元の情報記録再生装置を一台だけ選択し、前記各情報記録再生装置の中から転送先の情報記録再生装置を選択する選択手段」に相当する。さらに、上記「ある記録媒体に記録されているデータを別の記録媒体にコピーするためのスイッチキー（ＣＯＰＹ  ＳＷ）１９ａが押されると、コピー（ＣＯＰＹ）動作が行われ」は、コピー情報を転送先へ転送する動作が行われるものであるから、本願補正発明における「該手段（選択手段）によって選択された転送元の情報記録再生装置の記録媒体上の情報を前記選択された転送先の情報記録再生装置へ転送する転送手段」に相当する。
　（３）引用発明における「各種制御処理のアルゴリズムを記憶するＲＯＭ１７ｄ」を備えた「記録再生装置」は、「ある記録媒体に記録されているデータを別の記録媒体にコピーする」機能を備えているものであるから、本願補正発明における「制御プログラムを実行して前記転送手段による情報の転送を行うようにした情報転送装置」に相当する。
　
　すると、本願補正発明と、引用発明とは、次の点で一致する。
「複数台のそれぞれ異なる種類の情報記録再生装置を接続する接続手段と、該手段によって接続された各情報記録再生装置の中から情報の転送元の情報記録再生装置を一台だけ選択し、前記各情報記録再生装置の中から転送先の情報記録再生装置を選択する選択手段と、該手段によって選択された転送元の情報記録再生装置の記録媒体上の情報を前記選択された転送先の情報記録再生装置へ転送する転送手段とを備え、制御プログラムを実行して前記転送手段による情報の転送を行うようにした情報転送装置。」
　
　一方で、両者は、次の点で相違する。
　情報転送装置が起動した後の転送手段について、本願補正発明では「情報転送装置が起動した後に、予め設定された優先順位に基づいて情報転送装置に接続された各情報記録再生装置の中から記録媒体をもっている１台の情報記録再生装置を選択して前記記録媒体上の情報転送処理の制御を行なう制御プログラムを読み込む制御プログラム読込手段を設け、該制御プログラム読込手段によって読み込んだ制御プログラムをＲＡＭに格納し、該ＲＡＭに格納した制御プログラムを実行」する構成を備えているのに対し、引用発明では上記構成を備えていない点。
　
　
４．判断
　装置が起動した後に、予め設定された優先順位に基づいて装置に接続された各情報記録再生装置の中から記録媒体をもっている１台の情報記録再生装置を選択して前記記録媒体上のシステムプログラムを読み込み、該読み込んだシステムプログラムをＲＡＭに格納し、該ＲＡＭに格納したシステムプログラムを実行する構成は、周知技術（必要であれば、原査定で提示した特開平５−１００８６２号公報の請求項１，段落【０００２】，【０００３】，【００１６】等を参照。）であるから、引用発明の情報転送装置における処理に係る情報の転送を行う制御プログラムに対して上記周知技術を採用し本願発明のようにすることは、当業者が容易に想到し得たことである。
　
　
５．本件補正についてのむすび
　以上のとおり、本願補正発明は、特許法第２９条第２項の規定により、特許出願の際独立して特許を受けることができないものであるから、本件補正は、平成１８年改正前特許法第１７条の２第５項で準用する同法第１２６条第５項に規定する要件を満たさないものであり、特許法第１５９条第１項において読み替えて準用する同法第５３条第１項の規定により却下すべきものである。
　
　
第３　本願発明について
１．本願発明
　平成１８年１月１２日付けの手続補正は上記のとおり却下されたので、本願の請求項１乃至４に係る発明は、平成１７年４月２５日付け手続補正書により補正された明細書の特許請求の範囲の請求項１乃至５に記載されたとおりのものであるところ、請求項１に係る発明（以下、「本願発明」という。）は、次のとおりのものである。
　
「【請求項１】　複数台のそれぞれ異なる種類の情報記録再生装置を接続する接続手段と、該手段によって接続された各情報記録再生装置の中から情報の転送元の情報記録再生装置を一台だけ選択し、前記各情報記録再生装置の中から転送先の情報記録再生装置を選択する選択手段と、該手段によって選択された転送元の情報記録再生装置の記録媒体上の情報を前記選択された転送先の情報記録再生装置へ転送する転送手段と、前記転送手段が実行する情報転送制御プログラムを前記接続手段に接続された情報記録再生装置の記録媒体上から読み込む情報転送制御プログラム読込手段を備えたことを特徴とする情報転送装置。」
　
　
２．引用例
　引用例及びその記載事項は、上記「第２　２．引用例」において記載したとおりである。
　
　
３．対比・判断
　本願発明は、上記「第２　［理由］」で検討した本願補正発明から、「情報転送装置が起動した後に、予め設定された優先順位に基づいて情報転送装置に接続された各情報記録再生装置の中から記録媒体をもっている１台の情報記録装置を選択して前記記録媒体上の情報転送処理の制御を行なう制御プログラムを読み込む制御プログラム読込手段を設け、該制御プログラム読込手段によって読み込んだ制御プログラムをＲＡＭに格納し、該ＲＡＭに格納した制御プログラムを実行して前記転送手段による情報の転送を行うようにしたこと」とあったところを、「前記転送手段が実行する情報転送制御プログラムを前記接続手段に接続された情報記録再生装置の記録媒体上から読み込む情報転送制御プログラム読込手段を備えたこと」と、限定する構成要件を省いて情報転送装置を上位概念の構成にしたものである。
　そうすると、本願発明の構成要件を全て含み、さらに他の要件を付加したものに相当する本願補正発明が、上記「第２　４．判断」に記載したとおり、引用例に記載された発明及び周知技術に基づいて、当業者が容易に発明をすることができたものであるから、本願発明も、同様の理由により、引用例に記載された発明及び周知技術に基づいて当業者が容易に発明をすることができたものである。
　
　
４．むすび
　以上のとおり、本願の請求項１に係る発明は、特許法第２９条第２項の規定により特許を受けることができないものである。
　したがって、本願は、その余の請求項について論及するまでもなく、拒絶すべきものである。
　
　よって、結論のとおり審決する。